(57)【要約】【課題】受信装置において、必要な各信号の受信レベルを、コンパクトに表示することができるようにする。【解決手段】第１及び第２の信号を受信する受信装置において、第１及び第２信号の受信レベルを表すアイコンを表示するアイコン表示手段を設け、前記アイコンを、長さが異なり、長さが短い順に並べて配置される複数の棒状図形４１〜４３を用いて構成し、各棒状図形を、その外縁から所定範囲を占める外枠図形４１ａ〜４３ａ及びその内側の枠内図形４１ｂ〜４３ｂで構成し、前記アイコンの表示を、短い方から第１信号の受信レベルに応じた数だけ外枠図形を表示するとともに、短い方から前記第２信号の受信レベルに応じた数だけ前記枠内図形を表示することにより行うようにする。【選択図】図４
2010268083.tif 000002
【特許請求の範囲】
【請求項１】
第１の信号及び第２の信号を受信する受信装置であって、
前記第１信号の受信レベル及び第２信号の受信レベルを表すアイコンを表示するアイコン表示手段を備え、
前記アイコンは、長さが異なり、長さが短い順に並べて配置される複数の棒状図形を用いて構成され、
各棒状図形はその外縁から所定範囲を占める外枠図形及びその内側の枠内図形を備え、
前記アイコン表示手段は、短い方から前記第１信号の受信レベルに応じた数だけ前記外枠図形を表示するとともに、短い方から前記第２信号の受信レベルに応じた数だけ前記枠内図形を表示することにより前記アイコンの表示を行うことを特徴とする受信装置。
【請求項２】
前記第１信号及び第２信号はそれぞれ、所定の放送波及びインターネットに接続するための無線ＩＰ通信における信号であり、又は該無線ＩＰ通信の信号及び該放送波であることを特徴とする請求項１に記載の受信装置。
【請求項３】
前記アイコン表示手段は、前記アイコンの表示を、前記受信装置において現在位置が特定済みの場合には第１の表示色で行い、特定済みでない場合には第２の表示色で行うことを特徴とする請求項２に記載の受信装置。
【請求項４】
前記第１信号及び第２信号はそれぞれ、現在位置を特定するために必要なＧＰＳ信号及びインターネットに接続するための無線ＩＰ通信における信号、又は該ＧＰＳ信号及び該無線ＩＰ通信の信号であり、
前記アイコン表示手段は、前記アイコンの表示を、前記受信装置において所定の放送波が受信可能である場合には第１の表示色で行い、受信可能でない場合には第２の表示色で行うことを特徴とする請求項１に記載の受信装置。
【請求項５】
前記受信装置は第３の信号を受信するものであり、
前記アイコン表示手段は、前記第１信号及び第２信号の受信レベルの表示に用いられている棒状図形のうち、短い方から前記第３信号の受信レベルに応じた数だけ所定の表示色で表示し、他の棒状図形を他の所定の表示色で表示することを特徴とする請求項１に記載の受信装置。
【請求項６】
前記第１信号及び第２信号はそれぞれ、所定の放送波及びインターネットに接続するための無線ＩＰ通信における信号であり、又は該無線ＩＰ通信の信号及び該放送波であり、
前記第３信号は現在位置を特定するために必要なＧＰＳ信号であることを特徴とする請求項５に記載の受信装置。
【請求項７】
所定の放送波、及びインターネットに接続するための無線ＩＰ通信における信号を受信する受信装置であって、
前記放送波の受信の可否、及び前記無線ＩＰ通信の信号の受信レベルを表すアイコンを表示するアイコン表示手段を備え、
前記アイコンは、所定のシンボル図形、及び長さが異なり、長さが短い順に並べて配置される複数の棒状図形を用いて構成され、
前記アイコン表示手段は、
前記シンボル図形を、前記放送波が受信可能である場合にのみ表示し、
前記棒状図形を、長さが短い順に前記無線ＩＰ通信の信号の受信レベルに応じた数だけ表示し、
前記アイコンの表示色を、前記受信装置において現在位置が特定済みである場合には第１の表示色とし、特定済みでない場合には第２の表示色とすることにより前記アイコンの表示を行うことを特徴とする受信装置。
【請求項８】
インターネットに接続するための無線ＩＰ通信における信号、及び所定の放送波を受信する受信装置であって、
前記無線ＩＰ通信の信号の受信レベル及び前記放送波の受信可否を表すアイコンを表示するアイコン表示手段を備え、
前記アイコンは、長さが異なり、長さが短い順に並べて配置される複数の棒状図形を用いて構成され、
前記アイコン表示手段は、
前記棒状図形を、長さが短い順に前記無線ＩＰ通信の信号の受信レベルに応じた数だけ表示し、
前記アイコンの表示色を、前記放送波が受信可能である場合には第１の表示色とし、受信可能でない場合には第２の表示色とすることにより前記アイコンの表示を行うことを特徴とする受信装置。
【請求項９】
コンピュータを、請求項１〜８のいずれかの受信装置におけるアイコン表示手段として機能させることを特徴とするプログラム。
【請求項１０】
第１の信号及び第２の信号を受信する受信装置におけるアイコン表示方法であって、
前記第１信号の受信レベル及び第２信号の受信レベルを表すアイコンを表示するアイコン表示工程を備え、
前記アイコンは、長さが異なり、長さが短い順に並べて配置される複数の棒状図形を用いて構成され、
前記アイコン表示工程では、短い方から前記第１信号の受信レベルに応じた数だけ前記外枠図形を表示するとともに、短い方から前記第２信号の受信レベルに応じた数だけ前記枠内図形を表示することにより前記アイコンの表示を行うことを特徴とするアイコン表示方法。
【発明の詳細な説明】
【技術分野】
【０００１】
本発明は、放送の受信及び該放送に並行して配信されるコンテンツの受信を行うことができる受信装置に関する。
【背景技術】
【０００２】
従来、受信装置において、アイコンにより受信レベルを表示する技術が特許文献１などにより知られている。同文献の技術においては、各受信信号の受信レベルを表示する色の異なるアイコンを重ねて１つのアイコンとして表示することにより、１つのアイコンで各受信レベルを表すようにしている。また、マルチバンド受信機において、インジケータの発光色を変化させることにより、入感帯域や、複数地域において同時入感状態にあることを表示するようにした技術も知られている（たとえば、特許文献２参照）。また、複数の基地局から受信する電波を合成して利用する無線機において、基地局毎の電波の合成割合を表示するようにした技術も知られている（たとえば、特許文献３参照）。
【先行技術文献】
【特許文献】
【０００３】
【特許文献１】特開２００７−２５９０３９号公報
【特許文献２】特開２００３−２５８６５９号公報
【特許文献３】特開平１１−４１８０号公報
【発明の概要】
【発明が解決しようとする課題】
【０００４】
ところで、放送事業者が放送を行う際に、該放送に並行して、該放送と同一又は関連したコンテンツを、インターネット経由でＩＰ放送等により、視聴者の受信機に配信するサービス（以下、「インターネットサービス」という。）が提案されている。このインターネットサービスは、対応する放送の放送対象地域内でのみ享受可能であることが前提とされている。放送対象地域であるかどうかは、受信機は、たとえば、その放送の受信レベルが所定値以上であるかどうかにより判定する。
【０００５】
また、インターネットサービスの提供を受けるためには、対応するインターネット上のリソースにアクセスする必要がある。リソースのＵＲＬを取得するには、たとえば、都道府県毎に、各放送局の周波数、放送局名、及びその放送局が提供する上記サービスに係るリソースのＵＲＬが登録されたテーブルを参照する必要がある。このテーブルを参照するためには、受信機は、その現在位置に基づき、都道府県を特定する必要がある。また、受信機がリソースに無線ＩＰ通信を介してアクセスするためには、その受信レベル（以下、「インターネット受信レベル」という。）が所定値以上である必要がある。
【０００６】
したがって、ユーザは、インターネットサービスの提供を受けるに際し、受信機の画面上で、受信中の放送波の受信レベルや、インターネット受信レベル、現在位置が特定済みかどうか等をモニタすることができると、コンテンツ配信における安定性や、不具合の原因等を知ることができるので、都合がよい。
【０００７】
図１６はインターネットサービスの提供を受けるための受信機における画面の一例を示す。図中の１６１はインターネットサービスにより配信されるコンテンツの表示エリア、１６２は受信中の放送波の受信レベルを示すアイコン、１６３はインターネット受信レベルを示すアイコン、１６４は現在位置が特定済みかどうかを示すインジケータ、１６５は受信中の放送の放送局名の表示である。アイコン１６２は長さが大、中、小の３本の棒状図形により「０」から「３」までの放送波受信レベルを表示する。受信レベルが「０」のとき棒状図形は１本も表示されず、「１」のときには長さが小の１本のみが表示され、「２」のときには長さが小、中の２本が表示され、「３」のときには３本とも表示されるようになっている。アイコン１６３の場合も同様にしてインターネット受信レベルを表示する。インジケータ１６４としては、現在位置が特定済みの場合にはその旨を示す図形のものが表示され、未特定の場合にはその旨を示す図形のものが表示される。
【０００８】
ユーザは、放送局名１６５に対応するインターネットサービスのコンテンツを、表示エリア１６１を介して享受しながら、アイコン１６２及び１６３、並びにインジケータ１６４によって、受信中の放送波の受信レベル、インターネット受信レベル、及び現在位置が特定済みかどうかを知ることができる。これによりユーザは、インターネットサービスを安定して享受することができるか、又は不安定ではあるが一応享受することができるかといったことを認識することができる。
【０００９】
図１７（ａ）はアイコン１６２及び１６３並びにインジケータ１６４の表示処理を示すフローチャートである。この処理は、図１６の画面の表示を行っている間、受信機において、所定の間隔で繰り返し行われる。表示処理を開始すると、まず、ステップ１７１において、放送波受信レベルに応じ、アイコン１６２の表示を行う。次に、ステップ１７２において、インターネット受信レベルに応じ、アイコン１６３の表示を行う。そして、ステップ１７３において、現在位置が特定済みか否かに応じ、インジケータ１６４の表示を行う。これにより図１７（ａ）の処理が完了する。
【００１０】
図１７（ｂ）は図１７（ａ）のステップ１７１の処理を示すフローチャートである。処理を開始すると、まず、ステップ１７４において、放送波受信レベルを取得する。次に、ステップ１７５において、表示する放送波受信レベルを決定する。そして、ステップ１７６において、決定した放送波受信レベルに応じ、アイコン１６２の表示を行う。その際、決定した放送波受信レベルが「０」であれば、棒状図形の表示は行わず、「１」であれば棒状図形として長さが小のもののみを描画し、「２」であれば小及び中の２本の棒状図形を表示し、「３」であれば小、中、大の３本の棒状図形を表示する。これにより、図１７（ｂ）の処理が終了する。
【００１１】
図１７（ｃ）は、図１７（ａ）のステップ１７２の処理を示すフローチャートである。処理を開始すると、まず、ステップ１７７において、インターネット受信レベルを取得する。次に、ステップ１７８において、表示するインターネット受信レベルを決定する。そしてステップ１７９において、決定したインターネット受信レベルに応じ、アイコン１６３の表示を行う。その際、決定したインターネット受信レベルが「０」であれば、棒状図形の表示は行わず、「１」であれば棒状図形として長さが小のもののみを描画し、「２」であれば小及び中の２本の棒状図形を表示し、「３」であれば小、中、大の３本の棒状図形を表示する。これにより、図１７（ｃ）の処理が終了する。
【００１２】
図１７（ｄ）は図１７（ａ）のステップ１７３の処理を示すフローチャートである。処理を開始すると、まず、ステップ１８０において、現在位置は特定できているか否かを判定する。特定できていると判定した場合には、ステップ１８１において、インジケータ１６４として、現在位置が特定できている旨を示すものを表示する。現在位置が特定できていないと判定した場合には、ステップ１８２においてインジケータ１６４として、現在位置が特定できていない旨を示すものを表示する。これにより、図１７（ｄ）の処理が終了する。
【００１３】
しかしながら、上述図１６の画面によれば、放送波受信レベル、インターネット受信レベル、及び現在位置特定の可否をそれぞれアイコン１６２、１６３、及びインジケータ１６４によって表示するようにしているので、これらの表示には、相当の表示エリアを必要とする。この結果、他の情報のための表示エリアが狭くなる。
【００１４】
また、上述従来の表示色の異なるアイコンを重ねて１つのアイコンとする技術によれば、常に大きい方の受信レベルを背面側に表示しなければならないため、同一の信号についての信号レベルが、背面側で表示されたり、前面側で表示されたりすることになる。また、各信号の信号レベルが同一である場合には背面側に表示された信号レベルを認識することができない。
【００１５】
また、上述従来のインジケータの発光色を変化させる技術によれば、受信の可否だけを表示しているため、受信レベルの値がどのようであるかを認識することができない。たとえばインターネットに接続する必要がある場合、インターネット受信レベルが弱いと、通信に時間がかかることが予想されるので、インターネット受信レベルがどの程度であるかを認識できることは重要である。また、受信の可否を認識することができるのみでは、インターネットサービスが途切れ途切れに受信される場合に、その原因を理解することができない。
【００１６】
また、上述従来の電波の合成割合を表示する技術によれば、受信している各電波について合成割合を表示するものであるため、各電波の絶対的な受信レベルを知ることはできない。つまり、割合が大きくてもその電波を受信できているとは限らないし、割合が小さくても受信できていないとは限らない。また、必要な電波について、そのレベルがゼロ又はゼロに近いために、その電波についての割合表示がなされていない状態にあるとしても、そのことが分かりにくい。
【００１７】
そこで、本発明の目的は、受信装置において、必要な各信号の受信レベルを、コンパクトに表示することができるようにすることにある。
【課題を解決するための手段】
【００１８】
この目的を達成するため、第１の発明に係る受信装置は、第１の信号及び第２の信号を受信する受信装置であって、前記第１信号の受信レベル及び第２信号の受信レベルを表すアイコンを表示するアイコン表示手段を備え、前記アイコンは、長さが異なり、長さが短い順に並べて配置される複数の棒状図形を用いて構成され、各棒状図形はその外縁から所定範囲を占める外枠図形及びその内側の枠内図形を備え、前記アイコン表示手段は、短い方から前記第１信号の受信レベルに応じた数だけ前記外枠図形を表示するとともに、短い方から前記第２信号の受信レベルに応じた数だけ前記枠内図形を表示することにより前記アイコンの表示を行うことを特徴とする。
【００１９】
第２の発明に係る受信装置は、第１発明において、前記第１信号及び第２信号はそれぞれ、所定の放送波及びインターネットに接続するための無線ＩＰ通信における信号であり、又は該無線ＩＰ通信の信号及び該放送波であることを特徴とする。
【００２０】
第３の発明に係る受信装置は、第２発明において、前記アイコン表示手段は、前記アイコンの表示を、前記受信装置において現在位置が特定済みの場合には第１の表示色で行い、特定済みでない場合には第２の表示色で行うことを特徴とする。
【００２１】
第４の発明に係る受信装置は、第１発明において、前記第１信号及び第２信号はそれぞれ、現在位置を特定するために必要なＧＰＳ信号及びインターネットに接続するための無線ＩＰ通信における信号、又は該ＧＰＳ信号及び該無線ＩＰ通信の信号であり、前記アイコン表示手段は、前記アイコンの表示を、前記受信装置において所定の放送波が受信可能である場合には第１の表示色で行い、受信可能でない場合には第２の表示色で行うことを特徴とする。
【００２２】
第５の発明に係る受信装置は、第１発明において、前記受信装置は第３の信号を受信するものであり、前記アイコン表示手段は、前記第１信号及び第２信号の受信レベルの表示に用いられている棒状図形のうち、短い方から前記第３信号の受信レベルに応じた数だけ所定の表示色で表示し、他の棒状図形を他の所定の表示色で表示することを特徴とする。
【００２３】
第６の発明に係る受信装置は、第５発明において、前記第１信号及び第２信号はそれぞれ、所定の放送波及びインターネットに接続するための無線ＩＰ通信における信号であり、又は該無線ＩＰ通信の信号及び該放送波であり、前記第３信号は現在位置を特定するために必要なＧＰＳ信号であることを特徴とする。
【００２４】
第７の発明に係る受信装置は、所定の放送波、及びインターネットに接続するための無線ＩＰ通信における信号を受信する受信装置であって、前記放送波の受信の可否、及び前記無線ＩＰ通信の信号の受信レベルを表すアイコンを表示するアイコン表示手段を備え、前記アイコンは、所定のシンボル図形、及び長さが異なり、長さが短い順に並べて配置される複数の棒状図形を用いて構成され、前記アイコン表示手段は、前記シンボル図形を、前記放送波が受信可能である場合にのみ表示し、前記棒状図形を、長さが短い順に前記無線ＩＰ通信の信号の受信レベルに応じた数だけ表示し、前記アイコンの表示色を、前記受信装置において現在位置が特定済みである場合には第１の表示色とし、特定済みでない場合には第２の表示色とすることにより前記アイコンの表示を行うことを特徴とする受信装置。
【００２５】
第８の発明に係る受信装置は、インターネットに接続するための無線ＩＰ通信における信号、及び所定の放送波を受信する受信装置であって、前記無線ＩＰ通信の信号の受信レベル及び前記放送波の受信可否を表すアイコンを表示するアイコン表示手段を備え、前記アイコンは、長さが異なり、長さが短い順に並べて配置される複数の棒状図形を用いて構成され、前記アイコン表示手段は、前記棒状図形を、長さが短い順に前記無線ＩＰ通信の信号の受信レベルに応じた数だけ表示し、前記アイコンの表示色を、前記放送波が受信可能である場合には第１の表示色とし、受信可能でない場合には第２の表示色とすることにより前記アイコンの表示を行うことを特徴とする。
【００２６】
第９の発明に係るプログラムは、コンピュータを、第１〜第８のいずれかの発明に係る受信装置におけるアイコン表示手段として機能させることを特徴とする。
【００２７】
第１０の発明に係るアイコン表示方法は、第１の信号及び第２の信号を受信する受信装置におけるアイコン表示方法であって、前記第１信号の受信レベル及び第２信号の受信レベルを表すアイコンを表示するアイコン表示工程を備え、前記アイコンは、長さが異なり、長さが短い順に並べて配置される複数の棒状図形を用いて構成され、前記アイコン表示工程では、短い方から前記第１信号の受信レベルに応じた数だけ前記外枠図形を表示するとともに、短い方から前記第２信号の受信レベルに応じた数だけ前記枠内図形を表示することにより前記アイコンの表示を行うことを特徴とする。
【発明の効果】
【００２８】
本発明によれば、受信装置において、必要な各信号の受信レベルを、コンパクトに表示することができる。
【図面の簡単な説明】
【００２９】
【図１】本発明の一実施形態に係るシステムの構成を示す図である。
【図２】図１のシステムにおける受信機の構成を示すブロック図である。
【図３】図２の受信機におけるコンテンツ表示画面の一例を示す図である。
【図４】図３のコンテンツ表示画面におけるアイコンの第１の例を示す図である。
【図５】図４のアイコンの表示処理を示すフローチャートである。
【図６】図３のコンテンツ表示画面におけるアイコンの第２の例を示す図である。
【図７】図６のアイコンの表示処理を示すフローチャートである。
【図８】図３のコンテンツ表示画面におけるアイコンの第３の例を示す図である。
【図９】図８のアイコンの表示処理を示すフローチャートである。
【図１０】図３のコンテンツ表示画面におけるアイコンの第４の例を示す図である。
【図１１】図１０のアイコンの表示処理を示すフローチャートである。
【図１２】図３のコンテンツ表示画面におけるアイコンの第５の例を示す図である。
【図１３】図１２のアイコンの表示処理を示すフローチャートである。
【図１４】図３のコンテンツ表示画面におけるアイコンの第６の例を示す図である。
【図１５】図１４のアイコンの表示処理を示すフローチャートである。
【図１６】従来の受信機における画面の一例を示す図である。
【図１７】図１６のアイコンの表示処理を示すフローチャートである。
【発明を実施するための形態】
【００３０】
図１は本発明の一実施形態に係るシステムの構成を示す。図中の１１は放送事業者が番組を制作して放送するための放送局、１２は放送局１１により放送される番組を視聴者が受信するための据置型受信機、１３は放送局１１により放送される番組を視聴者が受信するためのモバイル型受信機、１４及び１５は放送局１１と、受信機１２や１３との間に介在するインターネット及び無線又は有線のＩＰ通信網、そして１６は受信機１３に対して位置情報を提供するためのＧＰＳ衛星である。放送局１１は送信局や中継局からなる放送網１１ａを有する。
【００３１】
放送事業者は放送局１１により、予め収録しておいた番組や生放送の番組を、放送網１１ａを介して放送する。その際、番組の放送に並行し、その放送の放送対象地域内でのみ視聴可能とすることを前提として、所定のコンテンツを、インターネット１４を経由し、ＩＰ放送等により受信機１２や１３に配信するインターネットサービスを行う。所定のコンテンツとしては、たとえば、並行して放送する番組と同内容のものや、これに他の内容を付加したものが該当する。具体的には、放送網１１ａによる放送が地上アナログラジオ放送である場合には、放送番組と同内容の音声コンテンツや、これに映像、静止画、広告情報等を加えたものが該当する。放送番組とは無関係な内容のものであってもよい。
【００３２】
インターネットサービスを行うに際し、配信されるコンテンツを構成する映像や音声のデータは、インターネットを介して配信するのに適したデータ形式に変換される。受信機１２や１３は、受信する放送の放送対象地域内に存在していることを確認することができた場合にのみ、その放送に対応するインターネットサービスに基づく再生出力を行うことができる。放送対象地域とは、放送法により規定されている「同一の放送番組の放送を同時に受信できることが相当と認められる一定の区域」である。放送対象地域内に存在しているかどうかの確認は、その放送の受信信号レベルや、所定の認証の成否に基づいて行われる。
【００３３】
図２は、受信機１２や１３の構成を示すブロック図である。同図に示すように、この受信機は、受信機の各部を制御する主制御部１７、主制御部１７からの指示に応じ、指示された周波数の受信を行うチューナ部１８、チューナ部１８が受信した信号を復調して主制御部１７に供給する復調部１９、主制御部１７の指示に応じ、現在位置を取得して主制御部１７に供給する現在位置検出部２０、主制御部１７が使用するプログラムやデータを記憶するＲＯＭ２１、主制御部１７が作業領域として使用するＲＡＭ２２、音声を出力するためのスピーカ２３、主制御部１７の指示に応じて音声信号をスピーカ２３に供給し、該音声信号の出力を制御する音声出力制御部２４、画像や文字の表示を行うための表示装置２５、主制御部１７の指示に応じてビデオ信号を表示装置２５に供給し、表示装置２５による表示を制御する表示制御部２６、主制御部１７に対する指示操作を行うための操作部２７、及び主制御部１７がインターネット上のサーバにアクセスするための通信部２８を備える。現在位置検出部２０はＧＰＳ受信機などにより現在位置を取得する。
【００３４】
主制御部１７は、放送局１２により放送網１１ａを介して行われる放送をチューナ部１８により受信するするとともに、これと並行して放送局１２のインターネットサービスにより配信されるコンテンツを通信部２８により受信する。その際、コンテンツの視聴がその放送の放送対象地域内でのみ可能となるように、その放送を十分に受信できることが確認できた場合のみコンテンツの再生出力を行い、ユーザによるコンテンツの視聴を許容する。放送網１１ａからの放送波を受信することができず、又は十分な受信品質を確保することができない場合には、その放送については放送対象地域外であると見なし、対応するコンテンツの再生出力を行わない。
【００３５】
インターネットサービスによるコンテンツの配信を受ける場合、該コンテンツの配信に係るインターネット上のリソースを特定し、該リソースにアクセスする必要がある。リソースの特定は、たとえば、ＲＯＭ２１に格納されるＵＲＬデータベースを参照して行うことができる。ＵＲＬデータベースにおいては、都道府県毎に、各放送局の周波数、放送局名、及びその放送局が提供するインターネットサービスに係るリソースのＵＲＬが登録されている。主制御部１７は、現在位置及び受信中の周波数に基づき、ＵＲＬデータベースを参照して、該周波数の放送局によるインターネットサービスに係るＵＲＬを取得することができる。
【００３６】
ＵＲＬデータベースにおいては各放送局のＵＲＬ情報を都道府県単位で管理しているので、主制御部１７はＵＲＬデータベースを参照するに際し、現在位置検出部２０により得られる現在位置を都道府県に対応付ける必要がある。現在位置検出部２０により得られる現在位置が緯度経度によるものであるとすれば、受信機がカーナビゲーション装置のように都道府県を特定できるような機能を有する機器に組み込まれている場合には、その機能を利用して、その緯度経度に対応する都道府県を特定することができる。そのような機能を利用することができない場合であっても、緯度経度に基づいて、対応する都道府県を特定する機能を有するインターネット上のサーバに問い合わせることにより、都道府県名を取得することができる。
【００３７】
このように、インターネットサービスによるコンテンツの配信を受けるためには、視聴中の放送の放送対象地域内であること、すなわち該放送の受信レベルが所定以上であること、ＵＲＬデータベースを参照するために現在位置が特定されること、及びインターネットサービスに係るリソースへアクセスするためにインターネットとの接続が可能であることが要件とされる。したがって、主制御部１７は、これらの要件を満たしているか否かをユーザが知ることができるように、視聴中の放送の放送波受信レベル、インターネット受信レベル、及び現在位置特定の可否に関する情報を表示装置２５において表示するようにしている。インターネット受信レベルとは、通信部２８が無線ＩＰ通信によりインターネットに接続する際の通信部２８における受信レベルである。
【００３８】
図３はインターネットサービスに係るコンテンツの表示を行うコンテンツ表示画面の一例を示す。このコンテンツ表示画面は、ユーザの指示に応じ、主制御部１７が、表示装置２５において表示する。図中の３１は受信中の放送の放送局名の表示、３２は受信中の番組の番組名の表示、３３は受信中の放送に対応するインターネットサービスに係るコンテンツを表示するための表示領域、そして３４は受信状況を示すアイコンである。
【００３９】
図４はアイコン３４の第１の例として、受信中の放送の放送波受信レベル、インターネット受信レベル、及び現在位置が特定済みか否かを表示するアイコン３４ａを示す。図中の４１〜４３は放送波受信レベル及びインターネット受信レベルを表示するための棒状図形である。棒状図形４１〜４３は、放送波受信レベルを表示するための外枠図形４１ａ〜４３ａ、及びインターネット受信レベルを表示するための枠内図形４１ｂ〜４３ｂにより構成される。４４は現在位置が特定済みであることを示すアイコン３４の表示色であり、４５は現在位置が未特定であることを示すアイコン３４の表示色である。４６はアイコン３４が受信レベルを表示するものであることを示すシンボル図形である。
【００４０】
放送波受信レベル及びインターネット受信レベルの表示は、いずれも受信レベルの表示であるから、似たような表示形態を採用することができる。そこで、同図に示すように、いずれも、短い方から順に棒グラフ状に並べた３本の棒状図形４１〜４３によって受信レベルの表示を行うとともに、放送波受信レベルを外枠図形４１ａ〜４３ａで表示し、インターネット受信レベルを枠内図形４１ｂ〜４３ｂにより表示するようにしている。また、現在位置が特定済みか否かについては、アイコン３４全体の色を表示色４４及び４５間で切り替えることにより表示するようにしている。
【００４１】
放送波受信レベル及びインターネット受信レベルはそれぞれ「０」〜「３」の４段階で表示することができる。受信レベルの値が大きいほど、受信状態が良好であることを意味する。放送波受信レベルが「０」の場合には外枠図形４１ａ〜４３ａは表示されず、「１」の場合には外枠図形４１ａのみが表示され、「２」の場合には外枠図形４１ａ及び４２ａが表示され、「３」の場合には外枠図形４１ａ〜４３ａの全部が表示される。つまり、「０」〜「３」の放送波受信レベルは、外枠図形４１ａ〜４３ａの表示数に対応する。また、インターネット受信レベルが「０」の場合には、枠内図形４１ｂ〜４３ｂは表示されず、「１」の場合には枠内図形４１ｂのみが表示され、「２」の場合には枠内図形４１ｂ及び４２ｂが表示され、「３」の場合には枠内図形４１ｂ〜４３ｂの全部が表示される。つまり、「０」〜「３」のインターネット受信レベルは、枠内図形４１ｂ〜４３ｂの表示数に対応する。
【００４２】
図４（ａ）では、放送波受信レベルが「３」、インターネット受信レベルが「３」であり、かつ現在位置が特定済みである場合のアイコン３４ａが示されている。すなわち、外枠図形４１ａ〜４３ａの全部が表示され、枠内図形４１ｂ〜４３ｂの全部が表示され、かつアイコン３４は表示色４４で表示されている。
【００４３】
図４（ｂ）は放送波受信レベルが「３」、インターネット受信レベルが「２」であり、かつ現在位置が特定済みである場合のアイコン３４ａを示す。放送波受信レベルが「３」であるため、外枠図形４１ａ〜４３ａが表示される。また、インターネット受信レベルが「２」であるため、枠内図形４１ｂ及び４２ｂが表示される。また、現在位置が特定済みであるため、アイコン３４ａを表示色４４により表示する。
【００４４】
図４（ｃ）は放送波受信レベルが「２」、インターネット受信レベルが「３」であり、かつ現在位置が特定済みである場合のアイコン３４ａを示す。放送波受信レベルが「２」であるため、外枠図形４１ａ及び４２ａが表示される。また、インターネット受信レベルが「３」であるため、枠内図形４１ｂ〜４３ｂが表示される。また、現在位置が特定済みであるため、アイコン３４ａを表示色４４により表示する。
【００４５】
図４（ｄ）は放送波受信レベルが「３」、インターネット受信レベルが「２」であり、かつ現在位置が未特定である場合のアイコン３４ａを示す。放送波受信レベルが「３」であるため、外枠図形４１ａ〜４３ａが表示される。また、インターネット受信レベルが「２」であるため、枠内図形４１ｂ及び４２ｂが表示される。また、現在位置が特定済みではないため、アイコン３４ａを表示色４５により表示する。
【００４６】
図５（ａ）はアイコン３４ａの表示処理を示すフローチャートである。この処理は、図３のコンテンツ表示画面の表示を行っている間、主制御部１７により、所定のプログラムに従い、所定の間隔で繰り返し行われる。表示処理を開始すると、まず、ステップ５１において、放送波受信レベルに応じ、外枠図形４１ａ、４２ａ、又は４３ａの描画を行う。次に、ステップ５２において、インターネット受信レベルに応じ、枠内図形４１ｂ、４２ｂ、又は４３ｂの描画を行う。そして、ステップ５３において、シンボル図形４６を含む描画済みの図形を、現在位置が特定済みか否かに応じ、表示色４４又は４５で塗り潰す。これにより図５（ａ）の処理が完了する。
【００４７】
図５（ｂ）は図５（ａ）のステップ５１の処理を示すフローチャートである。処理を開始すると、まず、ステップ５１１において、放送波受信レベルをチューナ部１８又は復調部１９から取得する。次に、ステップ５１２において、表示する放送波受信レベルを決定する。そして、ステップ５１３において、決定した放送波受信レベルに応じ、外枠図形４１ａ、４２ａ、又は４３ａの描画を行う。すなわち、決定した放送波受信レベルが「０」であれば、外枠図形４１ａ〜４３ａの描画は行わず、「１」であれば外枠図形４１ａのみを描画し、「２」であれば外枠図形４１ａ及び４２ａを描画し、「３」であれば外枠図形４１ａ〜４３ａを描画する。これにより、図５（ｂ）の処理が終了する。
【００４８】
図５（ｃ）は図５（ａ）のステップ５２の処理を示すフローチャートである。処理を開始すると、まず、ステップ５２１において、インターネット受信レベルを通信部２８から取得する。次に、ステップ５２２において、表示するインターネット受信レベルを決定する。そしてステップ５２３において、決定したインターネット受信レベルに応じ、枠内図形４１ｂ、４２ｂ、又は４３ｂの描画を行う。すなわち、決定したインターネット受信レベルが「０」であれば、枠内図形４１ｂ〜４３ｂの描画は行わず、「１」であれば枠内図形４１ｂのみを描画し、「２」であれば枠内図形４１ｂ及び４２ｂを描画し、「３」であれば枠内図形４１ｂ〜４３ｂを描画する。これにより、図５（ｃ）の処理が終了する。
【００４９】
図５（ｄ）は図５（ａ）のステップ５３の処理を示すフローチャートである。処理を開始すると、まず、ステップ５３１において、現在位置は特定済みか否かを判定する。この判定は、現在位置検出部２０からの情報に基づいて行う。特定済みであると判定した場合には、ステップ５３２において、外枠図形４１ａ〜４３ａ及び枠内図形４１ｂ〜４３ｂのうち、図５（ａ）のステップ５１及び５２において描画した部分、並びに描画済みのシンボル図形４６を、表示色４４で塗り潰す。現在位置が特定済みではないと判定した場合には、ステップ５３３において、同様の描画済み部分を表示色４５で塗り潰す。これにより図５（ｄ）の処理が終了する。
【００５０】
図６はアイコン３４の第２の例として、放送波受信レベル、インターネット受信レベル及びＧＰＳ信号の受信レベル（以下、「ＧＰＳ受信レベル」という。）を表示するアイコン３４ｂを示す。この例では、現在位置が特定済みか否かを、ＧＰＳ受信レベルの表示により示すようにしている。放送波受信レベル及びインターネット受信レベルの表示は、図４の場合と同様に、それぞれ外枠図形４１ａ〜４３ａ及び枠内図形４１ｂ〜４３ｂの表示により行われる。図中の６１及び６２は棒状図形４１〜４３の表示に使用される表示色であり、ＧＰＳ受信レベルを表すために用いられる。
【００５１】
ＧＰＳ受信レベルはそれぞれ「０」〜「３」の４段階で表示することができる。受信レベルの値が大きいほど、受信状態が良好であることを意味する。ＧＰＳ受信レベルが「０」の場合には、棒状図形４１〜４３の表示はすべて表示色６２で行われる。「１」の場合には棒状図形４１が表示色６１で表示され、棒状図形４２及び４３が表示色６２で表示される。「２」の場合には棒状図形４１及び４２が表示色６１で表示され、棒状図形４３が表示色６２で表示される。「３」の場合には棒状図形４１〜４３のすべてが表示色６１で表示される。つまり、「０」〜「３」のＧＰＳ受信レベルは、棒状図形４１〜４３のうちの表示色６１で表示されるものの数に対応する。図６（ａ）では、放送波受信レベルが「３」、インターネット受信レベルが「３」、かつＧＰＳ受信レベルが「２」である場合のアイコン３４ｂが示されている。
【００５２】
図６（ｂ）は放送波受信レベルが「３」、インターネット受信レベルが「２」であり、かつＧＰＳ受信レベルが「１」である場合のアイコン３４ｂを示す。この場合、放送波受信レベルが「３」であるため、３つの外枠図形４１ａ〜４３ａが表示される。また、インターネット受信レベルが「２」であるため、２つの枠内図形４１ｂ及び４２ｂが表示される。また、ＧＰＳ受信レベルが「１」であるため、１つの棒状図形４１のみが表示色６１で表示され、棒状図形４２及び４３は表示色６２で表示される。なお、ユーザは、たとえば、ＧＰＳ受信レベルが「２」以上であれば、現在位置が十分特定されており、「１」であれば、不安定ではあるが一応特定済みであり、「０」であれば未特定であると判断することができる。
【００５３】
図７（ａ）はアイコン３４ｂの表示処理を示すフローチャートである。この処理は、図３のコンテンツ表示画面の表示を行っている間、主制御部１７により、所定のプログラムに従い、所定の間隔で繰り返し行われる。処理を開始すると、まず、ステップ７１において、放送波受信レベルに応じ、外枠図形４１ａ、４２ａ、又は４３ａの描画を行う。次にステップ７２において、インターネット受信レベルに応じ、枠内図形４１ｂ、４２ｂ、又は４３ｂの描画を行う。そして、ステップ７３において、シンボル図形４６を含む描画済みの図形を、ＧＰＳ受信レベルに応じ、表示色６１又は６２を用いて塗り潰す。これにより、図７（ａ）の処理が終了する。ステップ７１及び７２の処理は、上述図５（ａ）のステップ５１及び５２の場合と同様である。
【００５４】
図７（ｂ）は図７（ａ）のステップ７３の処理を示すフローチャートである。処理を開始すると、まず、ステップ７３１において、ＧＰＳ受信レベルを現在位置検出部２０から取得する。次に、ステップ７３２において、表示するＧＰＳ受信レベルを決定する。次にステップ７３３において、決定したＧＰＳ受信レベルに応じ、図７（ａ）のステップ７１及び７２で描画された棒状図形４１、４２、又は４３の部分を、表示色６１又は６２で塗り潰す。すなわち、決定したＧＰＳ受信レベルが「０」であれば、棒状図形４１〜４３のすべての描画部分を表示色６２により塗り潰す。「１」であれば棒状図形４１の描画部分を表示色６１で塗り潰し、棒状図形４２及び４３の描画部分を表示色６２で塗り潰す。「２」であれば、棒状図形４１及び４２の描画部分を表示色６１で塗り潰し、棒状図形４３の描画部分を表示色６２で塗り潰す。「３」であれば、棒状図形４１〜４３のすべての描画部分を、表示色６１で塗り潰す。これにより、図７（ｂ）の処理が終了する。なお、シンボル図形４６については、常に表示色６１で塗り潰す。
【００５５】
図８はアイコン３４の第３の例として、放送波受信レベル及びインターネット受信レベルを表示するアイコン３４ｃを示す。アイコン３４ｃを採用する場合、主制御部１７はインターネット上の所定のサーバに問い合わせて現在位置を特定する。すなわち、インターネットとの間に介在する無線ＬＡＮ（無線ＩＰ通信網）に接続する際の電界強度と、無線ＬＡＮに割り当てられている識別情報（識別ＩＤ）とに基づき、現在位置を算出する。その際、電界強度、識別ＩＤ、及び座標（位置）を関連付けたデータベースが所定のサーバに存在するため、インターネットに接続する必要がある。ただし、このようなデータベースを受信機１２や１３が内蔵する場合にはインターネットに接続する必要はない。主制御部１７は、無線ＬＡＮの電界強度及び識別ＩＤが分かれば、該データベースに基づき、座標を算出することができる。なお、無線ＬＡＮの識別ＩＤはインターネットに接続しなくても、無線ＬＡＮの受信エリア内に受信機１２や１３が存在すれば、取得することができる。
【００５６】
アイコン３４ｃによれば、ユーザは、現在位置が特定済みかどうかはインターネット受信レベルの表示により判断することができる。アイコン３４ｃは、現在位置が特定済みか否かの表示を行わないこととした以外は、上述の図４のアイコン３４ａの場合と同様である。図８（ａ）においては放送波受信レベルが「３」であり、インターネット受信レベルが「３」である場合のアイコン３４ｃが示されている。
【００５７】
図８（ｂ）は放送波受信レベルが「３」、インターネット受信レベルが「２」である場合のアイコン３４ｃを示す。この場合、放送波受信レベルが「３」であるため、外枠図形４１ａ〜４３ａが表示される。また、インターネット受信レベルが「２」であるため、枠内図形４１ｂ及び４２ｂが表示される。なお、ユーザは、たとえばインターネット受信レベルが「２」以上であれば、現在位置が十分特定済みであると判断することができる。「１」であれば、不安定ではあるが、一応、現在位置が特定済みであると判断することができる。「０」であれば、現在位置が特定できないと判断することができる。
【００５８】
図９はアイコン３４ｃの表示処理を示すフローチャートである。この処理は図３のコンテンツ表示画面の表示を行っている間、主制御部１７により、所定のプログラムに従い、所定の間隔で繰り返し行われる。処理を開始すると、まず、ステップ９１において、図５（ａ）のステップ５１の場合と同様にして、放送波受信レベルに応じ、外枠図形４１ａ、４２ａ、又は４３ａの描画を行う。次に、ステップ９２において、図５（ａ）のステップ５２の場合と同様にして、インターネット受信レベルに応じ、枠内図形４１ｂ、４２ｂ、又は４３ｂの描画を行い、その後、シンボル図形４６を含む描画済みの図形を、所定の表示色で塗り潰す。これにより、図９の処理が終了する。
【００５９】
図１０はアイコン３４の第４の例として、放送波の受信が可能かどうか、インターネット受信レベル、及び現在位置が特定済みかどうかを表示するアイコン３４ｄを示す。この例では、インターネット受信レベルについは、枠内図形ではなく棒状図形４１〜４３の全体を用いて表示するようにしている。放送波については、受信レベルではなく、受信可能か否かを、シンボル図形４６の表示の有無によって示すようにしている。現在位置が特定済みか否かは、図４のアイコン３４ａの場合と同様に、アイコン３４ｄの表示を表示色４４又は４５で行うことにより示すようにしている。図１０（ａ）では、放送波が受信可能で、インターネット受信レベルが「３」であり、かつ現在位置が特定済みである場合のアイコン３４ｄが示されている。
【００６０】
図１０（ｂ）は放送波が受信不能で、インターネット受信レベルが「２」であり、かつ現在位置が特定済みである場合のアイコン３４ｄを示す。この場合、放送波が受信不能であるため、シンボル図形４６は表示されない。インターネット受信レベルが「２」であるため、棒状図形４１及び４２が表示される。また、現在位置が特定済みであるため、アイコン３４ｄは表示色４４により表示される。
【００６１】
図１０（ｃ）は放送波が受信可能で、インターネット受信レベルが「２」であり、かつ現在位置が未特定である場合のアイコン３４ｄを示す。この場合、放送波が受信可能であるため、シンボル図形４６が表示される。また、インターネット受信レベルが「２」であるため、棒状図形４１及び４２が表示される。また、現在位置が特定されていないので、アイコン３４ｄは表示色４５により表示される。
【００６２】
図１１（ａ）はアイコン３４ｄの表示処理を示すフローチャートである。この処理は、図３のコンテンツ表示画面の表示を行っている間、主制御部１７により、所定のプログラムに従い、所定の間隔で繰り返し行われる。処理を開始すると、まず、ステップ１１１において、放送波が受信可能かどうかに応じ、シンボル図形４６を描画し又は削除する。次に、ステップ１１２において、インターネット受信レベルに応じ、棒状図形４１、４２、又は４３を描画する。そして、ステップ１１３において、ステップ１１１及び１１２で描画された図形を現在位置が特定済みか否かに応じ、表示色４４又は４５で塗り潰す。これにより、図１１（ａ）の処理が完了する。ステップ１１２及び１１３の処理は、上述図５（ａ）のステップ５２及び５３の場合と同様にして行うことができる。
【００６３】
図１１（ｂ）は図１１（ａ）のステップ１１１の処理を示すフローチャートである。処理を開始すると、まず、ステップ１１６において、放送波受信レベルをチューナ部１８又は復調部１９から取得する。次に、ステップ１１７において、取得した放送波受信レベルが所定値以上かどうかを判定する。所定値以上であると判定した場合には、ステップ１１８において、シンボル図形４６を描画する。所定値以上ではないと判定した場合には、ステップ１１９において、シンボル図形４６を削除する。これにより、図１１（ｂ）の処理が終了する。
【００６４】
ところで、放送波を受信する場合の状態として、通常、同調状態（ＴＵＮＥＤ状態）及び非同調状態（非ＴＵＮＥＤ状態）がある。同調状態とは、受信周波数が放送波に同調しており、放送波が受信可能となっている状態である。このため、放送波の受信レベルについては、同調状態（受信可能状態）にあるか、又は非同調状態（受信不能状態）にあるかを示すだけでもよい。これに対し、インターネットへ無線で接続する際の受信レベルが小さいと、通信速度が低下し、映像や音声が途切れてしまう可能性がある。このため、インターネット受信レベルに関しては、受信レベルを明確に表示し、ユーザに対して、快適にインターネットサービスを受けることができるかどうかを示した方がよい。
【００６５】
図１２はこの点を考慮したアイコン３４の第５の例として、ＧＰＳ受信レベル、インターネット受信レベル、及び放送波の受信可否（同調状態であるか否か）を表示するアイコン３４ｅを示す。１２１は放送波が受信可能であることを示すアイコン３４ｅの表示色であり、１２２は放送波が受信不能であることを示すアイコン３４ｅの表示色である。この例では、外枠図形４１ａ〜４３ａによりＧＰＳ受信レベルを表示し、枠内図形４１ｂ〜４３ｂによりインターネット受信レベルを表示し、そして表示色１２１及び１２２により放送波が受信可能かどうかを表示するようにしている。図１２（ａ）では、ＧＰＳ受信レベルが「３」、インターネット受信レベルが「３」であり、かつ放送波の受信が可能である場合のアイコン３４ｅが示されている。
【００６６】
図１２（ｂ）はＧＰＳ受信レベルが「３」、インターネット受信レベルが「２」でありかつ放送波の受信が不能である場合のアイコン３４ｅを示す。ＧＰＳ受信レベルが「３」であるため、外枠図形４１ａ〜４３ａが表示される。また、インターネット受信レベルが「２」であるため、枠内図形４１ｂ及び４２ｂが表示される。また、放送波が受信不能であるため、アイコン３４ｅが表示色１２２により表示される。
【００６７】
図１３（ａ）はアイコン３４ｅの表示処理を示すフローチャートである。この処理は、図３のコンテンツ表示画面の表示を行っている間、主制御部１７により、所定のプログラムに従い、所定の間隔で繰り返し行われる。処理を開始すると、まず、ステップ１３１において、ＧＰＳ受信レベルに応じ、外枠図形４１ａ、４２ａ、又は４３ａを描画する。次に、ステップ１３２において、インターネット受信レベルに応じ、枠内図形４１ｂ、４２ｂ、又は４３ｂを描画する。そして、ステップ１３３において、シンボル図形４６並びにステップ１３１及び１３２で描画された図形を、放送波が受信可能であるか否かに応じ、表示色１２１又は１２２で塗り潰す。これにより図１３（ａ）の処理が終了する。なお、ステップ１３２の処理は、上述図５（ａ）のステップ５２の場合と同様にして行うことができる。
【００６８】
図１３（ｂ）は、図１３（ａ）のステップ１３１の処理を示すフローチャートである。処理を開始すると、まず、ステップ１３４において、ＧＰＳ受信レベルを現在位置検出部２０から取得する。次に、ステップ１３５において、表示するＧＰＳ受信レベルを決定する。そして、ステップ１３６において、決定したＧＰＳ受信レベルに応じて外枠図形４１ａ、４２ａ、又は４３ａを描画する。すなわち、ＧＰＳ受信レベルが「０」であれば、外枠図形４１ａ〜４３ａの描画は行わず、「１」であれば外枠図形４１ａのみを描画し、「２」であれば外枠図形４１ａ及び４２ａを描画し、「３」であれば外枠図形４１ａ〜４３ａを描画する。これにより、図１３（ｂ）の処理が終了する。
【００６９】
図１３（ｃ）は図１３（ａ）のステップ１３３の処理を示すフローチャートである。処理を開始すると、まず、ステップ１３７において、放送波受信レベルをチューナ部１８又は復調部１９から取得する。次に、ステップ１３８において、放送波受信レベルが所定値以上かどうかを判定する。所定値以上であると判定した場合には、ステップ１３９において、シンボル図形４６並びに図１３（ａ）のステップ１３１及び１３２で描画された図形を表示色１２１で塗り潰す。所定値以上ではないと判定した場合には、ステップ１４０において、同様の部分を表示色１２２で塗り潰す。これにより、図１３（ｃ）の処理が終了する。
【００７０】
図１４はアイコン３４の第６の例として、インターネット受信レベル及び放送波の受信可否を表示するアイコン３４ｆを示す。アイコン３４ｆを採用する場合、主制御部１７は図８のアイコン３４ｃを採用する場合と同様に、インターネット上の所定のサーバから現在位置を特定する。したがって、アイコン３４ｆでは、現在位置が特定済みか否かの表示や、ＧＰＳ受信レベルの表示は行わず、また、図１２のアイコン３４ｅの場合と同様の理由から、棒状図形４１〜４３によりインターネット受信レベルの表示を行うとともに、表示色１２１又は１２２により、放送波の受信が可能であるかどうかを表示するようにしている。図１４（ａ）では、放送波が受信可能で、インターネット受信レベルが「３」である場合のアイコン３４ｆが示されている。
【００７１】
図１４（ｂ）は放送波が受信不能で、インターネット受信レベルが「２」である場合のアイコン３４ｆを示す。この場合、放送波が受信不能であるため、アイコン３４ｆは表示色１２２により表示される。また、インターネット受信レベルが「２」であるため、棒状図形４１及び４２が表示される。
【００７２】
図１５（ａ）はアイコン３４ｆの表示処理を示すフローチャートである。この処理は、図３のコンテンツ表示画面の表示を行っている間、主制御部１７により、所定のプログラムに従い、所定の間隔で繰り返し行われる。処理を開始すると、まず、ステップ１５１において、インターネット受信レベルに応じ、棒状図形４１、４２、又は４３を描画する。そして、ステップ１５２において、放送波が受信可能かどうかに応じ、表示色１２１又は１２２によりアイコン３４ｆを塗り潰す。これにより、図１５（ａ）の処理が終了する。ステップ１５１の処理は上述図５のステップ５２の場合と同様にして行うことができる。
【００７３】
図１５（ｂ）は図１５（ａ）のステップ１５２の処理を示すフローチャートである。処理を開始すると、まず、ステップ１５６において、放送波受信レベルをチューナ部１８又は復調部１９から取得する。次に、ステップ１５７において、取得した受信レベルが所定値以上かどうかを判定する。所定値以上であると判定した場合には、ステップ１５８において、図１５（ａ）のステップ１５１で描画した棒状図形４１、４２又は４３及びシンボル図形４６を表示色１２１で塗り潰す。所定値以上ではないと判定した場合には、ステップ１５９において、図１５（ａ）のステップ１５１で描画した棒状図形４１、４２又は４３及びシンボル図形４６を表示色１２２で塗り潰す。これにより、図１５（ｂ）の処理が終了する。
【００７４】
本実施形態によれば、１つのアイコン３４により放送波受信レベル、インターネット受信レベル、現在位置の特定可否、ＧＰＳ受信レベル、及び放送波の受信可否のうちの３つ又は２つについて表示するようにしたため、コンテンツ表示画面に１つのアイコン３４を表示するだけで、該３つ又は２つの情報をユーザに知らせることができる。したがって、コンテンツ表示画面における他の情報を表示するための領域を拡大することができる。またユーザは１つのアイコン３４を見るだけでインターネットサービスに係るコンテンツの視聴を行うことができるかどうかを判断することができる。たとえば、図４のアイコン３４ａの場合、アイコン３４ａが表示色４４で表示され、かつ外枠図形４１ａ、４２ａ、又は４３ａ及び枠内図形４１ｂ、４２ｂ、又は４３ｂが表示色４４で塗り潰されていれば、コンテンツの視聴が可能であると判断することができる。また、放送波受信レベル、インターネット受信レベル、又はＧＰＳ受信レベルのうちの受信レベルの情報が必要なものについては、棒状図形で受信レベルを示すようにしているので、ひと目で受信レベルを認識させることができる。したがって、たとえば、インターネット受信レベルが低く、「１」の場合には、インターネットサービスが途切れる可能性があることを明確に示すことができる。
【００７５】
なお、本発明は、上述実施形態に限定されることなく適宜変形して実施することができる。たとえば上述においては、受信レベルを示す棒状図形として、３本の棒状図形を用いているが、これに限らず、４本の棒状図形を用いてもよい。
【００７６】
また、上述図６のアイコン３４ｂの場合、ＧＰＳ受信レベルが、放送波受信レベル及びインターネット受信レベルを超えるときには、ＧＰＳ受信レベルを表示することができないが、その場合には、棒状図形４１〜４３のうちの描画されているものについて、表示色６１で塗り潰せばよい。
【００７７】
また、上述においては言及しなかったが、シンボル図形４６についても外枠図形及び枠内図形により構成し、放送波の受信圏外であればシンボル図形４６の外枠図形を非表示としたり、インターネットへの接続可能なアクセスポイントからの信号強度の圏外であればシンボル図形４６の枠内図形を非表示としたりすることにより、圏外表示を行うようにしてもよい。
【符号の説明】
【００７８】
１１：放送局、１１ａ：放送網、１２：据置型受信機、１３：モバイル型受信機、１４：インターネット、１５：ＩＰ通信網、１６：ＧＰＳ衛星、１７：主制御部、１８：チューナ部、１９：復調部、２０：現在位置検出部、２１：ＲＯＭ、２２：ＲＡＭ、２３：スピーカ、２４：音声出力制御部、２５：表示装置、２６：表示制御部、２７：操作部、２８：通信部、３１，１６５：放送局名の表示、３２：番組名の表示、３３，１６１：表示領域、３４，３４ａ，３４ｂ，３４ｃ，３４ｄ，３４ｅ，３４ｆ，１６２，１６３：アイコン、４１〜４３：棒状図形、４１ａ〜４３ａ：外枠図形、４１ｂ〜４３ｂ：枠内図形、４４，４５，６１，６２，１２１，１２２：表示色、４６：シンボル図形、１６４：インジケータ。
【図１】
2010268083.tif 000003
【図２】
2010268083.tif 000004
【図３】
2010268083.tif 000005
【図４】
2010268083.tif 000006
【図５】
2010268083.tif 000007
【図６】
2010268083.tif 000008
【図７】
2010268083.tif 000009
【図８】
2010268083.tif 000010
【図９】
2010268083.tif 000011
【図１０】
2010268083.tif 000012
【図１１】
2010268083.tif 000013
【図１２】
2010268083.tif 000014
【図１３】
2010268083.tif 000015
【図１４】
2010268083.tif 000016
【図１５】
2010268083.tif 000017
【図１６】
2010268083.tif 000018
【図１７】
2010268083.tif 000019